(57)【要約】【課題】被験体の被覆部分を避けてテストクリップを被測定領域に確実に接触させることができ、再接続作業を不要にするとともに、被験体の太さに拘らず、テストクリップと被験体の被測定領域との接触を維持する。【解決手段】プローブにおいて、断面がほぼ三角形状であって、該三角形状の頂点付近で前記被験体の被測定領域に接触可能なＬ字型のテストクリップと、駆動手段により駆動される可動保持体とを備え、前記テストクリップと前記可動保持体とで前記被験体の被測定領域を挟持して、接触を維持できるようにした。【選択図】図１
2010060390.tif 000002
【特許請求の範囲】
【請求項１】
被験体の被測定領域に接触し、測定した信号を計測器に電気的に導通させるプローブにおいて、
断面がほぼ三角形状であって、該三角形状の頂点付近で前記被験体の被測定領域に接触可能なＬ字型のテストクリップと、
駆動手段により駆動される可動保持体と、
を備え、前記テストクリップと前記可動保持体とで前記被験体の被測定領域を挟持して、接触を維持できるようにしたことを特徴とするプローブ。
【請求項２】
前記テストクリップは、前記断面の三角形状の頂点が尖端で、かつ、前記被験体の被測定領域との接触部のほぼ中央に凹部を設け、
前記テストクリップが前記被験体の被覆を切断して、被測定領域に接触できるようにしたことを特徴とする請求項１記載のプローブ。
【請求項３】
前記テストクリップは、前記断面の三角形状の頂点が尖端で、
前記可動保持体は、前記被験体との接触部が上下動可能とし、
前記テストクリップが前記被験体の被覆を切断して、被測定領域に接触できるようにしたことを特徴とする請求項１記載のプローブ。
【発明の詳細な説明】
【技術分野】
【０００１】
本発明は、被験体の電気信号等を測定する際、テスタ、オシロスコープ等の計測器に設けるプローブに関する。
【背景技術】
【０００２】
従来、テスタ、オシロスコープ等の計測器に設けるプローブにおいて、図４に示すように、平面の板金を曲げて加工したテストクリップと可動保持体とで被験体の被測定領域を挟んで接触を維持するようにしていた。
【０００３】
また、導電体からなる探針を被験体の被測定領域に接触させ、探針と接続したリード線を介して被験体の被測定領域を計測器に電気的に導通させるプローブに、リード線に接続した導電体からなる釣り針状の先端部を有し、釣り針の尖端を探針に向けて探針に沿って突出、後退自在なテストクリップを探針に沿って設け、テストクリップを探針の先端から突出させて、テストクリップの先端で被験体を引っかけ、テストクリップと被験体との接触を維持するようにする技術もあった（例えば、特許文献１参照）。
【特許文献１】特開平１１−１６０３５４
【発明の開示】
【発明が解決しようとする課題】
【０００４】
しかしながら、上記従来の技術では、図４に示すように、被験体の被覆部分に邪魔され、テストクリップが被測定領域に接触できない場合があり、狭い空間内で複数本をプロービングする際、再接続に非常に時間を要するという問題点があった。
【０００５】
また、釣り針状の先端部を有するプローブでは、被験体が線状で、釣り針状の先端部よりも太い場合では、テストクリップと被験体の被測定領域との接触を維持するのが困難であるという問題点があった。
【課題を解決するための手段】
【０００６】
本発明は、前述の課題を解決するために次の手段を採用する。被験体の被測定領域に接触し、測定した信号を計測器に電気的に導通させるプローブにおいて、断面がほぼ三角形状であって、該三角形状の頂点付近で前記被験体の被測定領域に接触可能なＬ字型のテストクリップと、駆動手段により駆動される可動保持体とを備え、前記テストクリップと前記可動保持体とで前記被験体の被測定領域を挟持して、接触を維持できるようにした。
【発明の効果】
【０００７】
本発明のプローブによれば、被験体の被測定領域に接触し、測定した信号を計測器に電気的に導通させるプローブにおいて、断面がほぼ三角形状であって、該三角形状の頂点付近で前記被験体の被測定領域に接触可能なＬ字型のテストクリップと、駆動手段により駆動される可動保持体とを備え、前記テストクリップと前記可動保持体とで前記被験体の被測定領域を挟持して、接触を維持できるようにしたので、被験体の被覆部分を避けてテストクリップを被測定領域に確実に接触させることができ、再接続作業を不要にするとともに、被験体の太さに拘らず、テストクリップと被験体の被測定領域との接触を維持することができる。
【発明を実施するための最良の形態】
【０００８】
以下、本発明に係る実施形態例を、図面を用いて説明する。なお図面に共通する要素には同一の符号を付す。
【実施例１】
【０００９】
（構成）
図１は実施例１におけるプローブ１の外観図であり、図２はプローブ１の断面構成図である。
【００１０】
図１及び図２に示したように、プローブ１は、導電体からなるＬ字型のテストクリップ２、下方へ押下してテストクリップ２を突出させる可動保持体３、固定保持体４、バネ５、テストクリップ２で測定した信号をオシロスコープ等の計測器に送信するケーブル６とから構成され、バネ５の一端は固定保持体４内で固定され、バネ５の他端は可動保持体３に接続されて、可動保持体３を上方に付勢している。
【００１１】
また、図１に示すように、テストクリップ２の断面は、ほぼ三角形状であって、テストクリップ２の被験体接触部２ａは、被験体７の被測定領域７ａを切断しないように丸みをもたせている。
【００１２】
（動作）
以上の構成により実施例１のプローブ１は、以下のように動作する。
【００１３】
可動保持体３を下方へ押下して、テストクリップ２を突出させ、テストクリップ２と可動保持体３との間に、被験体７の被測定領域７ａを挟んだ後、可動保持体３の押下を解除すると、図３に示すように、バネ５の付勢力により、被験体７の被測定領域７ａとの接触状態が維持される。
【００１４】
（実施例１の効果）
以上のように、実施例１のプローブによれば、被験体の被測定領域に接触し、測定した信号を計測器に電気的に導通させるプローブにおいて、断面がほぼ三角形状であって、該三角形状の頂点付近で前記被験体の被測定領域に接触可能なＬ字型のテストクリップと、駆動手段により駆動される可動保持体とを備え、前記テストクリップと前記可動保持体とで前記被験体の被測定領域を挟持して、接触を維持できるようにしたので、被験体の被覆部分を避けてテストクリップを被測定領域に確実に接触させることができ、再接続作業を不要にするとともに、被験体の太さに拘らず、テストクリップと被験体の被測定領域との接触を維持することができる。
【実施例２】
【００１５】
（構成）
実施例２におけるプローブ１０の構成は、実施例１と同じであるが、図５に示すように、導電体からなるＬ字型のテストクリップ１２の断面は、ほぼ三角形状であって、テストクリップ１２の被験体接触部１２ａは、被験体の被覆を切断し被測定領域に接触できるように尖端となっており、かつ、被験体接触部１２ａの中央に凹部１２ｂを設けている点で実施例１と異なる。
【００１６】
（動作）
以上の構成により実施例２のプローブ１０は、以下のように動作する。
【００１７】
可動保持体３を下方へ押下して、テストクリップ１２を突出させ、テストクリップ１２の凹部１２ｂと可動保持体３との間に、被験体７を挟んだ後、可動保持体３の押下を解除すると、図６に示すように、凹部１２ｂと可動保持体３との隙間以下には切断することができないため、被測定領域７ａを完全に切断することなく、接触状態が維持される。
【００１８】
（実施例２の効果）
以上のように、実施例２のプローブ１０によれば、前記テストクリップは、前記断面の三角形状の頂点が尖端で、かつ、前記前記被験体の被測定領域との接触部のほぼ中央に凹部を設け、前記テストクリップが前記被験体の被覆を切断して、被測定領域に接触できるようにしたので、実施例１の効果に加えて、被験体が被覆のままでも、被験体を完全に切断することなく、テストクリップを被験体の被測定領域に確実に接触させることができる。
【実施例３】
【００１９】
（構成）
図７は実施例３におけるプローブ２０の外観図であり、図８はプローブ２０の断面構成図である。
【００２０】
図７に示すように、テストクリップ２２の断面は、ほぼ三角形状であって、テストクリップ２２の被験体接触部２２ａは、被験体７の被覆を切断し被測定領域７ａに接触できるように尖端となっており、かつ、可動保持体２３の被験体接触部２３ａが上下動可能となっている点で実施例１と異なる。
【００２１】
なお、バネ２７の一端は可動保持体２３内で固定され、バネ２７の他端は可動保持体２３の被験体接触部２３ａに接続され、被験体接触部２３ａを上方に付勢している。
【００２２】
（動作）
以上の構成により実施例３のプローブ２０は、以下のように動作する。
【００２３】
可動保持体２３を下方へ押下して、テストクリップ２２を突出させ、テストクリップ２２と可動保持体２３との間に、被験体７を挟んだ後、可動保持体２３の押下を解除すると、図９に示すように、バネ５の付勢力と可動保持体２３の被験体接触部２３ａの下動とのバランスにより、テストクリップ２２の被験体接触部２２ａは被験体７の被覆のみを切断し、被測定領域７ａとの接触状態が維持される。
【００２４】
（実施例３の効果）
以上のように、実施例３のプローブ２０によれば、前記テストクリップは、前記断面の三角形状の頂点が尖端で、前記可動保持体は、前記被験体との接触部が上下動可能とし、前記テストクリップが前記被験体の被覆を切断して、被測定領域に接触できるようにしたので、実施例２の効果に加えて、被験体を挟む位置の制限をなくすことができる。
【産業上の利用可能性】
【００２５】
以上述べたように、本発明は、テスタ、オシロスコープ等の計測器に設けるプローブとして広く用いることができる。
【図面の簡単な説明】
【００２６】
【図１】実施例１におけるプローブ１の先端図である。
【図２】実施例１におけるプローブ１の断面構成図である。
【図３】実施例１におけるプローブ１と被験体７との接触を示す図である。
【図４】従来のプローブと被験体との接触を示す図である。
【図５】実施例２におけるプローブ１０の先端図である。
【図６】実施例２におけるプローブ１０と被験体７との接触を示す図である。
【図７】実施例３におけるプローブ２０の先端図である。
【図８】実施例３におけるプローブ２０の断面構成図である。
【図９】実施例３におけるプローブ２０と被験体７との接触を示す図である。
【符号の説明】
【００２７】
１、１０、２０  プローブ
２、１２、２２  テストクリップ
３、２３  可動保持体
５、２７  バネ
１２ｂ  凹部
２２ａ、２３ａ  被験体接触部
【図１】
2010060390.tif 000003
【図２】
2010060390.tif 000004
【図３】
2010060390.tif 000005
【図４】
2010060390.tif 000006
【図５】
2010060390.tif 000007
【図６】
2010060390.tif 000008
【図７】
2010060390.tif 000009
【図８】
2010060390.tif 000010
【図９】
2010060390.tif 000011